【手続補正書】
【提出日】平成31年3月13日(2019.3.13)
【手続補正１】
【補正対象書類名】特許請求の範囲
【補正対象項目名】全文
【補正方法】変更
【補正の内容】
【特許請求の範囲】
【請求項１】
関連する複数の書類であって、当該書類における項目の情報が各当該書類に応じた所定の形式に従って記載されている前記各書類の画像を取得する画像取得手段と、
前記各書類に応じた所定の形式に基づき、情報が記載された記載領域を、前記各書類の画像から抽出する記載領域抽出手段と、
前記関連する複数の書類を特定するための第１画像であって、前記各書類の前記記載領域を合成させた前記第１画像を生成する第１画像生成手段と、
前記関連する複数の書類のうちの一部の書類の前記記載領域を合成させた第２画像を生成する第２画像生成手段と、
を備えたことを特徴とする管理装置。
【請求項２】
請求項１に記載の管理装置において、
前記第２画像生成手段が、前記関連する複数の書類から、各書類を１つずつ取り除いた複数の前記第２画像を生成することを特徴とする管理装置。
【請求項３】
請求項１または請求項２に記載の管理装置において、
前記第２画像生成手段が、前記関連する複数の書類から、少なくとも１つの書類を取り除いた複数の前記第２画像を生成することを特徴とする管理装置。
【請求項４】
請求項１から請求項３のいずれか１項に記載の管理装置において、
前記第１画像生成手段が、前記第１画像に、所定の空隙率を有する重畳用画像を重ねた第３画像を生成し、
前記第２画像生成手段が、前記第２画像に、前記重畳用画像を重ねた第４画像を生成することを特徴とする管理装置。
【請求項５】
請求項４に記載の管理装置において、
前記第１画像生成手段が、前記第１画像に、複数の異なる前記重畳用画像を重ねた前記第３画像を生成し、
前記第２画像生成手段が、前記第２画像に、前記複数の異なる前記重畳用画像を重ねた前記第４画像を生成することを特徴とする管理装置。
【請求項６】
請求項４または請求項５に記載の管理装置において、
前記重畳用画像が、記号が並べられた画像であることを特徴とする管理装置。
【請求項７】
請求項１から６のいずれか１項に記載の管理装置において、
前記第１画像生成手段が、前記各書類の前記記載領域を重ねた前記第１画像を生成し、
前記第２画像生成手段が、前記関連する複数の書類のうちの一部の書類の前記記載領域を重ねた前記第２画像を生成することを特徴とする管理装置。
【請求項８】
請求項１から７のいずれか１項に記載の管理装置において、
前記書類における項目の情報が記載されている前記各書類の第５画像を取得する第５画像取得手段と、
前記書類における項目の情報が記載されて無い無記入の前記各書類の第６画像を取得する第６画像取得手段と、
前記項目の情報が記載された記載領域を、前記第５画像と前記第６画像との差分画像から抽出する記載領域抽出手段と、
を更に備えたことを特徴とする管理装置。
【請求項９】
画像取得手段が、関連する複数の書類であって、当該書類における項目の情報が各当該書類に応じた所定の形式に従って記載されている前記各書類の画像を取得する画像取得ステップと、
記載領域抽出手段が、前記各書類に応じた所定の形式に基づき、情報が記載された記載領域を、前記各書類の画像から抽出する記載領域抽出ステップと、
第１画像生成手段が、前記関連する複数の書類を特定するための第１画像であって、前記各書類の前記記載領域を合成させた前記第１画像を生成する第１コード画像生成ステップと、
第２画像生成手段が、前記関連する複数の書類のうちの一部の書類の前記記載領域を合成させた第２画像を生成する第２画像生成ステップと、
を含むことを特徴とする管理方法。
【請求項１０】
コンピュータを、
関連する複数の書類であって、当該書類における項目の情報が各当該書類に応じた所定の形式に従って記載されている前記各書類の画像を取得する画像取得手段、
前記各書類に応じた所定の形式に基づき、情報が記載された記載領域を、前記各書類の画像から抽出する記載領域抽出手段、
前記関連する複数の書類を特定するための第１画像であって、前記各書類の前記記載領域を合成させた前記第１画像を生成する第１画像生成手段、および、
前記関連する複数の書類のうちの一部の書類の前記記載領域を合成させた第２画像を生成する第２画像生成手段として機能させることを特徴とする管理装置用のプログラム。
【請求項１１】
書類に関する書類情報を管理する管理装置と、書類の画像を撮像して画像データを取り込む画像入力装置と、を備えた管理システムにおいて、
前記管理装置が、
関連する複数の書類であって、当該書類における項目の情報が各当該書類に応じた所定の形式に従って記載されている前記各書類の画像を、前記画像入力装置から取得する画像取得手段と、
前記各書類に応じた所定の形式に基づき、情報が記載された記載領域を、前記各書類の画像から抽出する記載領域抽出手段と、
前記関連する複数の書類を特定するための第１画像であって、前記各書類の前記記載領域を合成させた前記第１画像を生成する第１画像生成手段と、
前記関連する複数の書類のうちの一部の書類の前記記載領域を合成させた第２画像を生成する第２画像生成手段と、
を備えたことを特徴とする管理システム。
【手続補正２】
【補正対象書類名】明細書
【補正対象項目名】０００６
【補正方法】変更
【補正の内容】
【０００６】
上記の課題を解決するために、請求項１に記載の発明は、関連する複数の書類であって、当該書類における項目の情報が各当該書類に応じた所定の形式に従って記載されている前記各書類の画像を取得する画像取得手段と、前記各書類に応じた所定の形式に基づき、情報が記載された記載領域を、前記各書類の画像から抽出する記載領域抽出手段と、前記関連する複数の書類を特定するための第１画像であって、前記各書類の前記記載領域を合成させた前記第１画像を生成する第１画像生成手段と、前記関連する複数の書類のうちの一部の書類の前記記載領域を合成させた第２画像を生成する第２画像生成手段と、を備えたことを特徴とする。
【手続補正３】
【補正対象書類名】明細書
【補正対象項目名】０００７
【補正方法】変更
【補正の内容】
【０００７】
また、請求項２に記載の発明は、請求項１に記載の管理装置において、前記第２画像生成手段が、前記関連する複数の書類から、各書類を１つずつ取り除いた複数の前記第２画像を生成することを特徴とする。
【手続補正４】
【補正対象書類名】明細書
【補正対象項目名】０００８
【補正方法】変更
【補正の内容】
【０００８】
また、請求項３に記載の発明は、請求項１または請求項２に記載の管理装置において、前記第２画像生成手段が、前記関連する複数の書類から、少なくとも１つの書類を取り除いた複数の前記第２画像を生成することを特徴とする。
【手続補正５】
【補正対象書類名】明細書
【補正対象項目名】０００９
【補正方法】変更
【補正の内容】
【０００９】
また、請求項４に記載の発明は、請求項１から請求項３のいずれか１項に記載の管理装置において、前記第１画像生成手段が、前記第１画像に、所定の空隙率を有する重畳用画像を重ねた第３画像を生成し、前記第２画像生成手段が、前記第２画像に、前記重畳用画像を重ねた第４画像を生成することを特徴とする。
【手続補正６】
【補正対象書類名】明細書
【補正対象項目名】００１０
【補正方法】変更
【補正の内容】
【００１０】
また、請求項５に記載の発明は、請求項４に記載の管理装置において、前記第１画像生成手段が、前記第１画像に、複数の異なる前記重畳用画像を重ねた前記第３画像を生成し、前記第２画像生成手段が、前記第２画像に、前記複数の異なる前記重畳用画像を重ねた前記第４画像を生成することを特徴とする。
【手続補正７】
【補正対象書類名】明細書
【補正対象項目名】００１２
【補正方法】変更
【補正の内容】
【００１２】
また、請求項７に記載の発明は、請求項１から６のいずれか１項に記載の管理装置において、前記第１画像生成手段が、前記各書類の前記記載領域を重ねた前記第１画像を生成し、前記第２画像生成手段が、前記関連する複数の書類のうちの一部の書類の前記記載領域を重ねた前記第２画像を生成することを特徴とする。
【手続補正８】
【補正対象書類名】明細書
【補正対象項目名】００１３
【補正方法】変更
【補正の内容】
【００１３】
また、請求項８に記載の発明は、請求項１から７のいずれか１項に記載の管理装置において、前記書類における項目の情報が記載されている前記各書類の第５画像を取得する第５画像取得手段と、前記書類における項目の情報が記載されて無い無記入の前記各書類の第６画像を取得する第６画像取得手段と、前記項目の情報が記載された記載領域を、前記第５画像と前記第６画像との差分画像から抽出する記載領域抽出手段と、を更に備えたことを特徴とする。
【手続補正９】
【補正対象書類名】明細書
【補正対象項目名】００１４
【補正方法】変更
【補正の内容】
【００１４】
また、請求項９に記載の発明は、画像取得手段が、関連する複数の書類であって、当該書類における項目の情報が各当該書類に応じた所定の形式に従って記載されている前記各書類の画像を取得する画像取得ステップと、記載領域抽出手段が、前記各書類に応じた所定の形式に基づき、情報が記載された記載領域を、前記各書類の画像から抽出する記載領域抽出ステップと、第１画像生成手段が、前記関連する複数の書類を特定するための第１画像であって、前記各書類の前記記載領域を合成させた前記第１画像を生成する第１コード画像生成ステップと、第２画像生成手段が、前記関連する複数の書類のうちの一部の書類の前記記載領域を合成させた第２画像を生成する第２画像生成ステップと、を含むことを特徴とする。
【手続補正１０】
【補正対象書類名】明細書
【補正対象項目名】００１５
【補正方法】変更
【補正の内容】
【００１５】
また、請求項１０に記載の発明は、コンピュータを、関連する複数の書類であって、当該書類における項目の情報が各当該書類に応じた所定の形式に従って記載されている前記各書類の画像を取得する画像取得手段、前記各書類に応じた所定の形式に基づき、情報が記載された記載領域を、前記各書類の画像から抽出する記載領域抽出手段、前記関連する複数の書類を特定するための第１画像であって、前記各書類の前記記載領域を合成させた前記第１画像を生成する第１画像生成手段、および、前記関連する複数の書類のうちの一部の書類の前記記載領域を合成させた第２画像を生成する第２画像生成手段として機能させることを特徴とする。
また、請求項１１に記載の発明は、書類に関する書類情報を管理する管理装置と、書類の画像を撮像して画像データを取り込む画像入力装置と、を備えた管理システムにおいて、前記管理装置が、関連する複数の書類であって、当該書類における項目の情報が各当該書類に応じた所定の形式に従って記載されている前記各書類の画像を、前記画像入力装置から取得する画像取得手段と、前記各書類に応じた所定の形式に基づき、情報が記載された記載領域を、前記各書類の画像から抽出する記載領域抽出手段と、前記関連する複数の書類を特定するための第１画像であって、前記各書類の前記記載領域を合成させた前記第１画像を生成する第１画像生成手段と、前記関連する複数の書類のうちの一部の書類の前記記載領域を合成させた第２画像を生成する第２画像生成手段と、を備えたことを特徴とする。
【手続補正１１】
【補正対象書類名】明細書
【補正対象項目名】発明の名称
【補正方法】変更
【補正の内容】
【発明の名称】管理装置、管理方法、管理装置用のプログラム、および、管理システム